(57)【要約】【課題】バックライトアセンブリ、それを含む表示装置を提供する。【解決手段】バックライトアセンブリは、第１色の光を発生する複数の第１光源及び前記第１色の光と異なる第２色の光を発生し、前記第１光源と交互に配置される複数の第２光源を含む第１光源部、及び前記第１光源部から発生した光が入射する第１入射面、及び前記第１入射面に隣接して前記光を出射する出射面を含む導光板を含む。前記出射面は、前記第２色の光を吸収する第１周辺部及び前記第１周辺部と隣接して前記光を通過させる中心部を含む。前記バックライトアセンブリは、２色以上の光を発生する光源部及び特定波長の光を吸収する第１周辺部及び第２周辺部を含む出射面を有する導光板を含むので、特定色の光による線むらを減少させることができる。【選択図】図１
2015065168.tif 000002
【特許請求の範囲】
【請求項１】
第１色の光を生成する複数の第１光源及び前記第１色の光と異なる第２色の光を生成して前記第１光源と交互に配置される複数の第２光源を含む第１光源部と、
前記第１光源部で発生した光が入射する第１入射面、及び前記第１入射面に隣接して前記光を出射する出射面を含む導光板を含み、
前記出射面は前記第２色の光を吸収する第１周辺部及び前記第１周辺部と隣接して前記光を通過させる中心部を含むことを特徴とするバックライトアセンブリ。
【請求項２】
前記第１光源部の一側端には前記第２光源が配置され、
前記第１周辺部は前記第１光源部の一側端に配置された前記第２光源に対応して、前記第一入射面に対して垂直方向に延びることを特徴とする請求項１に記載のバックライトアセンブリ。
【請求項３】
前記第１周辺部の上に前記第２色の光を吸収するインクを含むパターンが形成されることを特徴とする請求項２に記載のバックライトアセンブリ。
【請求項４】
前記導光板の前記出射面の上に配置される第１シートをさらに含み、
前記第１シートの上部表面は前記第２色の光を吸収するインクを含むパターンが形成された前記第１周辺部を含むことを特徴とする請求項１に記載のバックライトアセンブリ。
【請求項５】
前記導光板下部に配置される第２シートをさらに含み、
前記第２シートの上に前記第１入射面と隣接して前記第１入射面に沿って配置される第１蛍光体パターンが配置され、
前記第１蛍光体パターンは前記第２光源で発生した前記第２色の光をホワイト（ｗｈｉｔｅ）光に変換する蛍光体を含むことを特徴とする請求項１に記載のバックライトアセンブリ。
【請求項６】
前記導光板は、前記出射面と対向する反射面をさらに含み、
前記反射面の上に前記第１入射面と隣接して前記第１入射面に沿って配置される第１蛍光体パターンをさらに含み、
前記第１蛍光体パターンは前記第２光源で発生した前記第２色の光をホワイト（ｗｈｉｔｅ）光に変換する蛍光体を含むことを特徴とする請求項１に記載のバックライトアセンブリ。
【請求項７】
前記導光板の前記出射面は第２周辺部をさらに含み、
前記第１光源部の前記一側端に対向する他側端には前記第２光源が配置され、
前記第２周辺部は前記第１光源部の前記他側端に配置された前記第２光源に対応して、前記第一入射面に対し垂直方向に延び、
前記第２周辺部は前記第２色の光を一部吸収することを特徴とする請求項２に記載のバックライトアセンブリ。
【請求項８】
前記第１色の光は黄色光であり、前記第２色の光は青色光であることを特徴とする請求項１に記載のバックライトアセンブリ。
【請求項９】
第１色の光を発生する複数の第１光源及び前記第１色の光と異なる第２色の光を発生して前記第１光源と交互に配置される複数の第２光源を含む第１光源部と、
前記第１光源部で発生した光が入射する第１入射面、及び前記第１入射面に隣接して前記光を出射する出射面及び前記出射面と対向する反射面を含む導光板を含み、
前記導光板は前記導光板の上に前記第１入射面と隣接して前記第１入射面に沿って配置される第１蛍光体パターンをさらに含み、
前記第１蛍光体パターンは、前記第２光源で発生した前記第２色の光をホワイト（ｗｈｉｔｅ）光に変換する蛍光体を含むことを特徴とするバックライトアセンブリ。
【請求項１０】
前記導光板の前記出射面の上に配置される第１シート及び前記導光板の下部に配置される第２シートをさらに含み、
前記第１シートの表面は前記第２色の光を吸収するインクを含むパターンが形成された第１周辺部を含み、
前記第２シートの上に前記第１入射面と隣接して前記第１入射面に沿って配置される第１蛍光体パターンが配置され、
前記第１蛍光体パターンは前記第２光源に発生した前記第２色の光をホワイト（ｗｈｉｔｅ）光に変換する蛍光体を含むことを特徴とする請求項９に記載のバックライトアセンブリ。
【発明の詳細な説明】
【技術分野】
【０００１】
本発明は、バックライトアセンブリ、前記バックライトアセンブリを含む表示装置及び前記バックライトアセンブリの製造方法に関し、詳しくは液晶表示装置用アレイ基板、前記アレイ基板を含む表示パネル及び前記アレイ基板の製造方法に関する。
【背景技術】
【０００２】
近年、小型化、軽量化されたより高性能なディスプレイ製品が生産されている。現在までディスプレイ装置には既存ブラウン管テレビ（ｃａｔｈｏｄｅ  ｒａｙ  ｔｕｂｅ：ＣＲＴ）が性能や価格競争面において多くの長所を有し、広く使われてきたが、小型化や携帯性において不利であった。そのため、小型化、軽量化及び低消費電力化において有利な液晶表示装置が注目を浴びている。
【０００３】
前記液晶表示装置は、液晶特定の分子配列に電圧を印加し、分子配列を変換し、このような分子配列の変換による液晶セルの光学的性質（複屈折性、旋光性、２色性及び光散乱特性など）の変化を利用して画像を表示する。
【０００４】
前記液晶表示装置は、液晶表示パネルと、前記液晶表示パネルに光を供給するためのバックライトアセンブリを含む。前記バックライトアセンブリが二つ以上の色を有する光源を含む場合、表示領域内でのホットスポット（ｈｏｔ−ｓｐｏｔ）または、入光部周辺の光漏れ問題及び表示領域内での色むら問題が発生して光源品質が低下するという問題があった。
【先行技術文献】
【特許文献】
【０００５】
【特許文献１】米国特許出願公開第２００９／１０２７８３号明細書
【特許文献２】米国登録特許第８１８４０８９号明細書
【特許文献３】米国登録特許第７７３３３５８号明細書
【発明の概要】
【発明が解決しようとする課題】
【０００６】
これに対し、本発明の技術的課題は、このような点で着眼され、本発明の目的は、光源品質が向上したバックライトアセンブリを提供することにある。
本発明の他の目的は、前記バックライトアセンブリを含む表示パネルを提供することにある。
本発明のまた他の目的は、前記バックライトアセンブリの製造方法を提供することにある。
【課題を解決するための手段】
【０００７】
上述した本発明の目的を実現するための一実施例に係るバックライトアセンブリは第１色の光を発生する複数の第１光源及び前記第１色の光と異なる第２色の光を発生し、前記第１光源と交互に配置される複数の第２光源を含む第１光源部、及び前記第１光源部で発生した光が入射する第１入射面、及び前記第１入射面に隣接して前記光を出射する出射面を含む導光板を含む。前記出射面は、前記第２色の光を吸収する第１周辺部及び前記第１周辺部と隣接して前記光を通過させる中心部を含む。
【０００８】
本発明の一実施例において、前記第１光源部の一側端には前記第２光源を配置できる。前記第１周辺部は、前記第１光源部の一側端に配置された前記第２光源に対応し、前記入射面に対して垂直方向に延びることができる。前記第１周辺部は前記第２色の光を吸収することができる。
【０００９】
本発明の一実施例において、前記第１周辺部の上に前記第２色の光を吸収するインクを含むパターンを形成できる。
本発明の一実施例において、前記パターンは、微細ドット（ｄｏｔ）である。
【００１０】
本発明の一実施例において、前記バックライトアセンブリは、前記導光板の前記出射面の上に配置される第１シートをさらに含むことができる。前記第１シートの上面は前記第２色の光を吸収するインクを含むパターンが形成された第１周辺部を含むことができる。
【００１１】
本発明の一実施例において、前記導光板の下部に配置される第２シートをさらに含むことができる。前記第２シートの上に前記第１入射面と隣接し、前記第１入射面に沿って配置される第１蛍光体パターンを配置できる。前記第１蛍光体パターンは、前記第２光源で発生した前記第２色の光をホワイト（ｗｈｉｔｅ）光に変換する蛍光体を含むことができる。
【００１２】
本発明の一実施例において、前記導光板は、前記出射面と対向する反射面をさらに含むことができる。前記反射面の上に前記第１入射面と隣接し、前記第１入射面に沿って配置される第１蛍光体パターンをさらに含むことができる。前記第１蛍光体パターンは、前記第２光源で発生した前記第２色の光をホワイト（ｗｈｉｔｅ）光に変換する蛍光体を含むことができる。
【００１３】
本発明の一実施例において、前記導光板の前記出射面は、第２周辺部をさらに含むことができる。前記第１光源部の前記一側端に対向する他側端には前記第２光源を配置できる。前記第２周辺部は、前記第１光源部の前記他側端に配置された前記第２光源に対応し、前記入射面に対し垂直方向に延びることができる。前記第２周辺部は、前記第２色の光を一部吸収することができる。
【００１４】
本発明の一実施例において、前記第１光源部と対向する前記第２光源部をさらに含むことができる。前記第２光源部は、前記第１色の光を発生する複数の第１光源及び前記第２色の光を発生し、前記第１光源と交互に配置される複数の第２光源を含むことができる。前記第２光源部の一側端には前記第２光源を配置できる。前記導光板は、前記第１光源部及び前記第２光源部の間に配置できる。
【００１５】
本発明の一実施例において、前記第１色の光の波長は、前記第２色の光の波長より大きい。
【００１６】
本発明の一実施例において、前記第１色の光は、黄色光があり、前記第２色の光は青色光でありうる。
【００１７】
上述した本発明の目的を実現するための他の実施例に係るバックライトアセンブリは、第１色の光を発生する複数の第１光源及び前記第１色の光と異なる第２色の光を発生し、前記第１光源と交互に配置される複数の第２光源を含む第１光源部、及び前記第１光源部で発生した光が入射する第１入射面、及び前記第１入射面に隣接して前記光を出射する出射面及び前記出射面と対向する反射面を含む導光板を含む。前記導光板は、前記導光板の上に前記第１入射面と隣接して前記第１入射面に沿って配置される第１蛍光体パターンをさらに含む。前記第１蛍光体パターンは、前記第２光源で発生した前記第２色の光をホワイト（ｗｈｉｔｅ）光に変換する蛍光体を含む。
【００１８】
本発明の一実施例において、前記バックライトアセンブリは、前記導光板の前記出射面の上に配置される第１シートをさらに含むことができる。前記第１シートの上面は、前記第２色の光を吸収するインクを含むパターンが形成された第１周辺部を含むことができる。
【００１９】
本発明の一実施例において、前記バックライトアセンブリは、前記導光板の下部に配置される第２シートをさらに含むことができる。前記第２シートの上に前記第１入射面と隣接し、前記第１入射面に沿って配置される第１蛍光体パターンが配置できる。前記第１蛍光体パターンは、前記第２光源で発生した前記第２色の光をホワイト（ｗｈｉｔｅ）光に変換する蛍光体を含むことができる。
【００２０】
上述した本発明の他の目的を実現するための一実施例に係る表示装置は、第１の原色を有する第１サブピクセル、第２の原色を有する第２サブピクセル及び透明サブピクセルを含む表示パネル、前記表示パネルに光を供給するバックライトアセンブリ、及び前記表示パネル及び前記バックライトアセンブリを収納する筐体を含む。前記バックライトアセンブリは、前記第１の原色と前記第２の原色の混合色の光を発生する複数の第１光源及び前記第２の原色の光を発生し、前記第１光源と交互に配置される複数の第２光源を含む第１光源部、及び前記第１光源部で発生した光が入射する第１入射面、及び前記第１入射面に隣接し、前記光を出射する出射面を含む導光板を含む。前記出射面は、前記第２の原色の光を吸収する第１周辺部及び前記第１周辺部と隣接して前記光を通過させる中心部を含む。
【００２１】
本発明の一実施例において、前記第１の原色は、赤色であり、前記第２の原色は緑色であり、第３の原色は、青色であり、前記混合色は黄色でありうる。
本発明の一実施例において、前記表示パネルは画像が表示される表示領域と前記表示領域を囲み、画像が表示されない周辺領域を含むことができる。前記導光板は、前記導光板の上に前記第１入射面と隣接し、前記第１入射面に沿って配置される第１蛍光体パターンをさらに含むことができる。前記第１蛍光体パターンは、前記第２光源で発生した前記第２色の光をホワイト（ｗｈｉｔｅ）光に変換する蛍光体を含むことができる。前記第１蛍光体パターンは、前記表示パネルの前記周辺領域に対応して配置できる。
【００２２】
本発明の一実施例において、前記導光板の前記出射面の上に配置される第１シートをさらに含むことができる。前記第１シートの上面は、前記第２色の光を吸収するインクを含むパターンが形成された第１周辺部を含むことができる。
【００２３】
本発明の一実施例において、前記第１シートの前記上面と対向する下面の上に前記第１入射面と隣接し、前記第１入射面に沿って配置される第１蛍光体パターンが配置できる。前記第１蛍光体パターンは、前記第２光源で発生した前記第３の原色の光をホワイト（ｗｈｉｔｅ）光に変換する蛍光体を含むことができる。
【００２４】
上述した本発明のまた他の目的を実現するための一実施例に係るバックライトアセンブリの製造方法は、第１色の光を発生する複数の第１光源及び前記第１色の光と異なる第２色の光を発生し、前記第１光源と交互に配置される複数の第２光源を含む第１光源部を形成する工程；及び前記第１光源部で発生した光が入射する第１入射面、及び前記第１入射面に隣接し、前記光を出射する出射面を含む導光板を形成する工程を含む。前記導光板を形成する工程は、前記出射面の上に出光パターンを形成する工程；及び前記導光板の上に位置し、複数の開口パターンが形成された第１部分、複数の開口パターンが形成され、前記第１部分と離隔された第２部分及び前記第１部分と前記第２部分の間に位置する第３部分を含むマスクを用い、特定波長帯の光を吸収するインクを前記複数の開口パターンを通じ、前記出射面の上に転写（ｔｒａｎｓｆｅｒｒｉｎｇ）させ、前記出射面の上に第１吸収パターン及び第２吸収パターンを形成する工程を含む。
【発明の効果】
【００２５】
本発明の実施例によれば、バックライトアセンブリは、２色以上の光を発生する光源部及び特定波長の光を吸収する第１周辺部及び第２周辺部を含む出射面を有する導光板を含むので、特定色の光による線むらを減少させることができる。
【００２６】
また、前記バックライトアセンブリは、特定波長の光をホワイト光に変換する第１蛍光体パターンを含むので、入射面周辺の光漏れ及びホットスポットの視認を減少させることができる。
【図面の簡単な説明】
【００２７】
【図１】本発明の一実施例に係るバックライトアセンブリの分解斜視図である。
【図２】図１のバックライトアセンブリの平面図である。
【図３】図１のバックライトアセンブリの底面図である。
【図４】本発明の他の実施例に係るバックライトアセンブリの分解斜視図である。
【図５】本発明の他の実施例に係るバックライトアセンブリの分解斜視図である。
【図６】本発明のまた他の実施例に係るバックライトアセンブリの分解斜視図である。
【図７】図６のバックライトアセンブリの第１シート（ｓｈｅｅｔ）の平面図である。
【図８】図６のバックライトアセンブリの第２シートの平面図である。
【図９】本発明のまた他の実施例に係るバックライトアセンブリの平面図である。
【図１０】本発明のまた他の実施例に係るバックライトアセンブリの底面図である。
【図１１】本発明の一実施例に係る表示装置の分解斜視図である。
【図１２】図１１の表示装置の断面図である。
【図１３】図１１の表示装置の駆動を説明するためのバックライトアセンブリ及び表示パネルの概略的な断面図である。
【図１４】図１１の表示装置の駆動を説明するためのバックライトアセンブリ及び表示パネルの概略的な断面図である。
【図１５】本発明の他の実施例に係る表示装置の断面図である。
【図１６】本発明のまた他の実施例に係る表示装置の断面図である。
【図１７】本発明のまた他の実施例に係る表示装置の断面図である。
【図１８】本発明の一実施例に係るバックライトアセンブリの導光板の製造方法を示した斜視図である。
【図１９】本発明の一実施例に係るバックライトアセンブリの導光板の製造方法を示した斜視図である。
【図２０】本発明の一実施例に係るバックライトアセンブリの導光板の製造方法を示した斜視図である。
【図２１】本発明の一実施例に係るバックライトアセンブリの導光板の製造方法を示した斜視図である。
【図２２】本発明の一実施例に係るバックライトアセンブリの導光板の製造方法を示した斜視図である。
【発明を実施するための形態】
【００２８】
以下、図面を参照して本発明の望ましい実施例を詳しく説明する。
【００２９】
図１は、本発明の一実施例に係るバックライトアセンブリの分解斜視図である。
【００３０】
図２は、図１のバックライトアセンブリの平面図である。
【００３１】
図３は、図１のバックライトアセンブリの底面図である。
【００３２】
図１乃至図３を参照すれば、バックライトアセンブリは、第１光源部１００、第２光源部２００及び導光板３００を含む。
【００３３】
前記第１光源部１００は、第１基板１０２、複数の第１光源１１０及び複数の第２光源１２０を含む。
【００３４】
前記第１基板１０２は、前記第１及び第２光源１１０及び１２０を駆動するための駆動回路を含む。前記第１基板１０２は、印刷回路基板（ｐｒｉｎｔｅｄ  Ｃｉｒｃｕｉｔ  ｂｏａｒｄ；ＰＣＢ）であり、第１方向Ｄ１と垂直の第２方向Ｄ２に延びる。
【００３５】
前記第１光源１１０及び前記第２光源１２０は、前記第１基板１０２上に前記第２方向Ｄ２に交互に配置される。
【００３６】
前記第１光源１１０は、第１の原色及び第２の原色の混合色の光を発生する。前記第２光源１２０は第３の原色の光を発生する。（詳しい内容は図１３及び１４を参照）前記第１基板１０２の両端には前記第２光源１２０がそれぞれ配置される。前記第２光源１２０は、短波長の光を発生する光源でありうる。例えば、前記第２光源１２０は青色光を発生する発光ダイオード（ｌｉｇｈｔ  ｅｍｉｔｔｉｎｇ  ｄｉｏｄｅ、「ＬＥＤ」）チップでありうる。
【００３７】
前記第１光源１１０は、隣り合う前記第２光源１２０の間に配置される。前記第１光源１１０は長波長光を発生する光源でありうる。例えば、前記第１光源１１０は黄色光を発生する発光ダイオード（ｌｉｇｈｔ  ｅｍｉｔｔｉｎｇ  ｄｉｏｄｅ、「ＬＥＤ」）チップでありうる。
【００３８】
前記第２光源部２００は、前記第１光源部１００と前記第１方向Ｄ１に離れて配置され、前記第１光源部１００と対向する。前記第２光源部２００は、第２基板２０２、複数の第１光源２１０及び複数の第２光源２２０を含む。
【００３９】
前記第２基板２０２は、前記第１及び第２光源２１０及び２２０を駆動するための駆動回路を含む。前記第２基板２０２は、印刷回路基板（ｐｒｉｎｔｅｄ  Ｃｉｒｃｕｉｔ  ｂｏａｒｄ；ＰＣＢ）であり、前記第２方向Ｄ２に延びる。
前記第１光源２１０及び前記第２光源２２０は、前記第２基板２０２上に前記第２方向Ｄ２に交互に配置される。
【００４０】
前記第１光源２１０は、前記第１の原色及び前記第２の原色の混合色の光を発生する。前記第２光源２２０は、第３の原色の光を発生する。（詳しい内容は、図１３及び１４を参照）前記第２基板２０２の両端には、前記第２光源２２０がそれぞれ配置される。前記第２光源２２０は、短波長の光を発生する光源でありうる。例えば、前記第２光源２２０は、青色光を発生する発光ダイオード（ｌｉｇｈｔ  ｅｍｉｔｔｉｎｇ  ｄｉｏｄｅ、「ＬＥＤ」）チップでありうる。
【００４１】
前記第１光源２１０は、隣り合う前記第２光源２２０の間に配置される。前記第１光源２１０は、長波長光を発生する光源でありうる。例えば、前記第１光源２１０は黄色光を発生する発光ダイオード（ｌｉｇｈｔ  ｅｍｉｔｔｉｎｇ  ｄｉｏｄｅ、「ＬＥＤ」）チップでありうる。
【００４２】
前記導光板３００は、前記第１光源部１００及び前記第２光源部２００の間に配置される。前記導光板３００は、前記第１光源部１００及び前記第２光源部２００で発生した光を表示パネル（図１１の２０を参照）へ誘導する。
【００４３】
前記導光板３００は、第１入射面３０２、第２入射面３０４、出射面３１０、及び反射面３２０を含む。
【００４４】
前記第１入射面３０２は、前記第１光源部１００と対向する。前記第１光源部１００で発生した前記光は前記第１入射面３０２を通じて前記導光板３００内に入射する。
【００４５】
前記第２入射面３０４は、前記第１入射面３０２と対向する。前記第２入射面３０４は、前記第２光源部２００と対向する。前記第２光源部２００で発生した前記光は前記第２入射面３０４を通じて前記導光板３００内に入射する。
【００４６】
前記出射面３１０は、前記第１入射面３０２及び前記第２入射面３０４と隣接し、前記表示パネルと対向する。前記導光板３００内に入射された前記光は、前記出射面３１０を通じて出射する。前記出射面３１０は、中心部３１２、前記中心部３１２と隣接して前記第２方向Ｄ２に前記出射面３１０の両端に配置される第１及び第２周辺部３１４及び３１６を含む。
【００４７】
前記出射面３１０の上には出光パターンを形成できる。前記出光パターンは、前記導光板３００に出光される光の出光分布を均一にする。例えば、前記出光パターンは、前記出射面３１０の上に二酸化チタニウム（ＴｉＯ２）及び樹脂（ｒｅｓｉｎ）を含む複数個の微細ドット（ｄｏｔ）でありうる。または、前記出光パターンは、前記出射面３１０の上面に形成された複数個の陰刻パターンでありうる。
【００４８】
前記第１周辺部３１４は、前記第１及び第２光源部１００及び２００の一側端に配置された前記第２光源１２０及び２２０に対応して配置され、前記第１方向Ｄ１に延びる。即ち、第１光源部１００の一側端に配置された前記第２光源１２０から前記第２光源部２００の一側端に配置された前記第２光源２２０まで延びる。
【００４９】
前記第１周辺部３１４の上には、前記第２光源１２０及び２２０で発生する前記短波長の光を一部吸収する第１吸収パターンが形成される。例えば、前記第１吸収パターンは、前記第１周辺部３１４の上に前記青色光を吸収するインクを含む複数個の微細ドット（ｄｏｔ）でありうる。
【００５０】
したがって、前記第１光源部１００及び第２光源部２００の前記一側端に配置された前記第２光源１２０及び２２０で発生した前記短波長の光が前記導光板３００の前記第１周辺部３１４に対応する部分で前記第１光源１１０及び２１０の長波長光と満遍なく混ざることができなくても、すなわち、前記第１周辺部３１４における前記短波長光と前記長波長光の混合比率が、前記中心部３１２における短波長光と前記長波長光の混合比率が異なっても、前記第１吸収パターンによって前記短波長の光が一部吸収されるので、前記第１周辺部３１４に形成される青色の線むらが使用者に少なく視認される。これによって、前記第１周辺部３１４に対応する輝度が多少減っても、使用者は長波長光に対する輝度減少に鈍感であるため、表示品質低下を最小化できる。
【００５１】
前記第２周辺部３１６は、前記第１及び第２光源部１００及び２００の前記一側と対向する他側端に配置された前記第２光源１２０及び２２０に対応して配置され、前記第１方向Ｄ１に延びる。即ち、前記第１光源部２００の他側端に配置された前記第２光源１２０から前記第２光源部２００の他側端に配置された前記第２光源２２０まで延びる。
【００５２】
前記第２周辺部３１６の上には前記第２光源１２０及び２２０で発生する前記短波長の光を一部吸収する第２吸収パターンが形成される。例えば、前記第２吸収パターンは前記第２周辺部３１６の上に前記青色光を吸収するインクを含む複数個の微細ドット（ｄｏｔ）でありうる。
【００５３】
したがって、前記第１及び第２光源部１００及び２００の前記他側端に配置された前記第２光源１２０及び２２０で発生した前記短波長の光が前記導光板３００の前記第２周辺部３１６に対応する部分で前記第１光源１１０及び２１０の長波長光満遍なく混ざることができなくても、すなわち、前記第１周辺部３１４における前記短波長光と前記長波長光の混合比率が、前記中心部３１２における短波長光と前記長波長光の混合比率が異なっても、前記第２吸収パターンによって前記短波長の光が一部吸収されるので、前記第２周辺部３１６に形成される青色の線むらが使用者に少なく視認される。これによって、前記第２周辺部３１６に対応する輝度が多少減っても、使用者は長波長光に対する輝度減少に鈍感であるため、表示品質低下を最小化できる。
【００５４】
一方、前記中心部３１２の上には前記出光パターンのみが形成される。
前記反射面３２０は、前記出射面３１０と対向する。前記反射面３２０の上には前記第１光源部１００と隣接して第１蛍光体パターン３５２が配置される。前記反射面３２０の上には、前記第２光源部２００と隣接して第２蛍光体パターン３５４が配置される。
【００５５】
前記第１蛍光体パターン３５２は、前記第２方向Ｄ２に延びる。前記第１蛍光体パターン３５２は、前記第１光源部１００と隣接した前記反射面３２０の部分を通じて出光する前記短波長光の波長を変換する。前記第１蛍光体パターン３５２は、黄色蛍光体を含むことができる。例えば、前記黄色蛍光体は５３０〜５７０ｎｍの波長を主波長にするセリウム（Ｃｅ）がドーピングされたイットリウム（Ｙ）アルミニウム（Ａｌ）ガーネットインＹＡＧ：Ｃｅ（Ｔ３Ａｌ５Ｏ１２：Ｃｅ）系列蛍光体または、シリケート（ｓｉｌｉｃａｔｅ）系列の黄色蛍光体でありうる。
【００５６】
これによって、前記第１光源部１００で発生した前記青色光の中、前記反射面３２０を通じて出射される光が再び反射して前記出射面３１０を通じて使用者に視認される場合において、前記光は黄色蛍光体を通過して白色光に変換されるので使用者に視認される青色光むらは少なくなる。即ち、前記青色光で視認される光漏れ及びホットスポット（ｈｏｔ  ｓｐｏｔ）が前記黄色蛍光体によって白色光に変換されるので出光品質が改善できる。
【００５７】
前記第２蛍光体パターン３５４は、前記第２方向Ｄ２に延びる。前記第２蛍光体パターン３５４は、前記第２光源部２００と隣接した前記反射面３２０の部分を通じて出光する前記短波長光の波長を変更する。前記第２蛍光体パターン３５４は、黄色蛍光体を含むことができる。例えば、前記黄色蛍光体は、５３０〜５７０ｎｍの波長を主波長にするセリウム（Ｃｅ）がドーピングされたイットリウム（Ｙ）アルミニウム（Ａｌ）ガーネットインＹＡＧ：Ｃｅ（Ｔ３Ａｌ５Ｏ１２：Ｃｅ）系列蛍光体または、シリケート（ｓｉｌｉｃａｔｅ）系列の黄色蛍光体でありうる。
【００５８】
これに係り、前記第２光源部２００で発生した前記青色光の中、前記反射面３２０を通じて出射される光が再び反射して前記出射面３１０を通じて使用者に視認される場合において、前記光は、黄色蛍光体を通過し、白色光に変換されるので、使用者に視認される青色光むらは少なくなる。即ち、前記青色光で視認される光漏れ及びホットスポット（ｈｏｔ  ｓｐｏｔ）が前記黄色蛍光体によって白色光に変換されるので出光品質が改善できる。
【００５９】
図４及び５は、本発明の他の実施例に係るバックライトアセンブリの分解斜視図である。
【００６０】
図４及び図５を参照すれば、バックライトアセンブリは、第１光源部１００、第２光源部２００、導光板３００及び第１シート４００を含む。前記第１光源部１００及び前記第２光源部２００は、図１のバックライトアセンブリの第１光源部及び第２光源部と実質的に同一である。したがって繰り返しの説明は省略する。
【００６１】
前記第１光源部１００は、第１基板１０２、複数の第１光源１１０及び複数の第２光源１２０を含む。前記第１基板１０２は前記第１及び第２光源１１０及び１２０を駆動するための駆動回路を含む。前記第１光源１１０及び前記第２光源１２０は、前記第１基板１０２の上に前記第２方向Ｄ２に交互に配置される。前記第１光源１１０は、第１の原色及び第２の原色の混合色の光を発生する。前記第２光源１２０は、第３の原色の光を発生する。
【００６２】
前記第１基板１０２の両端には、前記第２光源１２０がそれぞれ配置される。前記第２光源１２０は短波長の光を発生する光源でありうる。例えば、前記第２光源１２０は青色光を発生する発光ダイオード（ｌｉｇｈｔ  ｅｍｉｔｔｉｎｇ  ｄｉｏｄｅ、「ＬＥＤ」）チップでありうる。
【００６３】
前記第１光源１１０は、隣り合う前記第２光源１２０の間に配置される。前記第１光源１１０は、長波長光を発生する光源でありうる。例えば、前記第１光源１１０は、黄色光を発生する発光ダイオード（ｌｉｇｈｔ  ｅｍｉｔｔｉｎｇ  ｄｉｏｄｅ、「ＬＥＤ」）チップでありうる。
【００６４】
前記第２光源部２００は、前記第１光源部１００と前記第１方向Ｄ１に離れて配置され、前記第１光源部１００と対向する。前記第２光源部２００は、第２基板２０２、複数の第１光源２１０及び複数の第２光源２２０を含む。
【００６５】
前記第２基板２０２は、前記第１及び第２光源２１０及び２２０を駆動するための駆動回路を含む。前記第１光源２１０及び前記第２光源２２０は、前記第２基板２０２の上に前記第２方向Ｄ２に交互に配置される。前記第１光源２１０は、前記第１の原色及び前記第２の原色の混合色の光を発生する。前記第２光源２２０は第３の原色の光を発生する。
【００６６】
前記第２基板２０２の両端には、前記第２光源２２０がそれぞれ配置される。前記第２光源２２０は、短波長の光を発生する光源でありうる。例えば、前記第２光源２２０は、青色光を発生する発光ダイオード（ｌｉｇｈｔ  ｅｍｉｔｔｉｎｇ  ｄｉｏｄｅ、「ＬＥＤ」）チップでありうる。
【００６７】
前記第１光源２１０は、隣り合う前記第２光源２２０の間に配置される。前記第１光源２１０は、長波長光を発生する光源でありうる。例えば、前記第１光源２１０は、黄色光を発生する発光ダイオード（ｌｉｇｈｔ  ｅｍｉｔｔｉｎｇ  ｄｉｏｄｅ、「ＬＥＤ」）チップでありうる。
【００６８】
前記導光板３００は、前記第１光源部１００及び前記第２光源部２００の間に配置される。前記導光板３００は、前記第１光源部１００及び前記第２光源部２００で発生した光を表示パネル（図１１の２０を参照）へ誘導する。
【００６９】
前記導光板３００は、第１入射面３０２、第２入射面３０４、出射面３１０、及び反射面３２０を含む。
【００７０】
前記第１入射面３０２は、前記第１光源部１００と対向する。前記第１光源部１００で発生した前記光は前記第１入射面３０２を通じ、前記導光板３００内に入射する。
【００７１】
前記第２入射面３０４は、前記第１入射面３０２と対向する。前記第２入射面３０４は、前記第２光源部２００と対向する。前記第２光源部２００で発生した前記光は、前記第２入射面３０４を通じて前記導光板３００内に入射する。
【００７２】
前記出射面３１０は、前記第１入射面３０２及び前記第２入射面３０４と隣接して前記第１シート４００の下面４２０と対向する。前記導光板３００内に入射された前記光は前記出射面３１０を通じて出射する。
【００７３】
前記出射面３１０の上には、出光パターンが形成される。前記出光パターンは、前記導光板３００に出光される光の出光分布を均一にする。例えば、前記出光パターンは、前記出射面３１０の上に二酸化チタニウム（ＴｉＯ２）及び樹脂（ｒｅｓｉｎ）を含む複数個の微細ドット（ｄｏｔ）でありうる。または、前記出光パターンは、前記出射面３１０の上面に形成された複数個の陰刻パターンでありうる。
【００７４】
前記第１シート４００は、前記導光板３００の上に配置される。前記第１シート４００は、前記表示パネルと対向する上面４１０及び前記上面４１０と対向して前記導光板３００の出射面３１０と対向する下面４２０を含む。
【００７５】
前記上面４１０は、中心部４１２、前記中心部４１２と隣接して前記第２方向Ｄ２に前記上面４１０の両端に配置される第１及び第２周辺部４１４及び４１６を含む。
【００７６】
前記第１周辺部４１４は、前記第１及び第２光源部１００及び２００の一側端に配置された前記第２光源１２０及び２２０に対応して配置され、前記第１方向Ｄ１に延びる。即ち、第１光源部１００の一側端に配置された前記第２光源１２０から前記第２光源部２００の一側端に配置された前記第２光源２２０まで延びる。
【００７７】
前記第１周辺部４１４の上には、前記第２光源１２０及び２２０から発生する前記短波長の光を一部吸収する第１吸収パターンが形成される。例えば、前記第１吸収パターンは、前記第１周辺部４１４の上に前記青色光を吸収するインクを含む複数個の微細ドット（ｄｏｔ）でありうる。
【００７８】
したがって、前記第１及び第２光源部１００及び２００の前記一側端に配置された前記第２光源１２０及び２２０で発生した前記短波長の光が前記第１周辺部４１４に対応する前記導光板３００の部分で前記第１光源１１０及び２１０の長波長光と満遍なく混ざることができなくても、すなわち、前記第１周辺部３１４における前記短波長光と前記長波長光の混合比率が、前記中心部３１２における短波長光と前記長波長光の混合比率が異なっても、前記第１吸収パターンによって前記短波長の光が一部吸収されるので、前記第１周辺部４１４に形成される青色の線むらが使用者に視認される青色光むらは少なくなる。これに係り、前記第１周辺部４１４に対応する輝度が多少減っても、使用者は、長波長光に対する輝度減少に鈍感であるため、表示品質低下を最小化できる。
【００７９】
前記第２周辺部４１６は、前記第１及び第２光源部１００及び２００の前記一側端と対向する他側端に配置された前記第２光源１２０及び２２０に対応して配置され、前記第１方向Ｄ１に延びる。即ち、第２光源部２００の他側端に配置された前記第１光源１２０から前記第２光源部２００の他側端に配置された前記第２光源２２０まで延びる。
【００８０】
前記第２周辺部４１６の上には前記第２光源１２０及び２２０発生する前記短波長の光を一部吸収する第２吸収パターンが形成される。例えば、前記第２吸収パターンは、前記第２周辺部４１６の上に前記青色光を吸収するインクを含む複数個の微細ドット（ｄｏｔ）でありうる。
【００８１】
したがって、前記第１及び第２光源部１００及び２００の前記他側端に配置された前記第２光源１２０及び２２０で発生した前記短波長の光が前記第２周辺部４１６に対応する前記導光板３００の部分で前記第１光源１１０及び２１０の長波長光と満遍なく混ざることができなくても、すなわち、前記第１周辺部３１４における前記短波長光と前記長波長光の混合比率が、前記中心部３１２における短波長光と前記長波長光の混合比率が異なっても、前記第２吸収パターンによって前記短波長の光が一部吸収されるので、前記第２周辺部４１６に形成される青色の線むらが使用者に少なく視認される。これに係り、前記第２周辺部４１６に対応する輝度が多少減っても、使用者は長波長光に対する輝度減少に鈍感であるため、表示品質低下が最小化できる。
【００８２】
前記第１シート４００の前記下面４２０の上には前記第１光源部１００と隣接して第１蛍光体パターン４５２が配置される。前記下面４２０の上には前記第２光源部２００と隣接して第２蛍光体パターン４５４が配置される。前記第１蛍光体パターン４５２及び前記第２蛍光体パターン４５４は、前記下面４２０の上に配置されたのを除いて、図３のバックライトアセンブリの導光板の反射面の上の第１及び第２蛍光体パターンと実質的に同一である。したがって、繰り返しの説明は省略する。
【００８３】
前記第１蛍光体パターン４５２は、前記第２方向Ｄ２に延びる。前記第１蛍光体パターン４５２は前記第１光源部１００に隣接した前記出光面３１０の部分を通じて散乱されて出射される前記短波長光の波長を変換する。前記第１蛍光体パターン４５２は黄色蛍光体を含むことができる。
【００８４】
これに係り、前記第１光源部１００で発生した前記青色光の中、前記第１光源部１００に隣接した前記出光面３１０の部分を通じて散乱されて出射される光が使用者に視認される場合において、前記光は黄色蛍光体を通過して白色光に変換されるので使用者に視認される青色光むらは少なくなる。即ち、前記青色光で視認される光漏れ及びホットスポット（ｈｏｔ  ｓｐｏｔ）が前記黄色蛍光体によって白色光に変換されるので出光品質が改善できる。
【００８５】
前記第２蛍光体パターン４５４は、前記第２方向Ｄ２に延びる。前記第２蛍光体パターン４５４は、前記第２光源部２００に隣接した前記出光面３１０の部分を通じて散乱されて出射される前記短波長光の波長を変更する。前記第２蛍光体パターン４５４は、黄色蛍光体を含むことができる。
【００８６】
これに係り、前記第２光源部２００で発生した前記青色光の中、前記第２光源部２００に隣接した前記出光面３１０の部分を通じて散乱されて出射される光が使用者に視認される場合において、前記光は黄色蛍光体を通過して白色光に変換されるので使用者に視認される青色光むらは少なくなる。即ち、前記青色光で視認される光漏れ及びホットスポット（ｈｏｔ  ｓｐｏｔ）が前記黄色蛍光体によって白色光に変換されるので出光品質を改善できる。
【００８７】
本実施例によれば、従来使われる導光板及び光源部構成に前記第１シート４００を追加することによって、出光品質を改善できることになる。
【００８８】
図６は、本発明のまた他の実施例に係るバックライトアセンブリの分解斜視図である。図７は、図６のバックライトアセンブリの第１シート（ｓｈｅｅｔ）の平面図である。図８は、図６のバックライトアセンブリの第２シートの平面図である。
【００８９】
図６乃至図８を参照すれば、バックライトアセンブリは、第１光源部１００、第２光源部２００、導光板３００、第１シート４００及び第２シート４５０を含む。前記第１光源部１００、前記第２光源部２００及び前記導光板３００は、図４のバックライトアセンブリの第１光源部、第２光源部及び導光板と実質的に同一である。したがって、繰り返しの説明は省略する。
【００９０】
前記第１光源部１００は、第１基板１０２、複数の第１光源１１０及び複数の第２光源１２０を含む。前記第１基板１０２は、前記第１及び第２光源１１０及び１２０を駆動するための駆動回路を含む。前記第１光源１１０及び前記第２光源１２０は、前記第１基板１０２の上に前記第２方向Ｄ２に交互に配置される。前記第１光源１１０は、第１の原色及び第２の原色の混合色の光を発生する。前記第２光源１２０は、第３の原色の光を発生する。
【００９１】
前記第１基板１０２の両端には、前記第２光源１２０がそれぞれ配置される。前記第２光源１２０は、短波長の光を発生する光源でありうる。例えば、前記第２光源１２０は、青色光を発生する発光ダイオード（ｌｉｇｈｔ  ｅｍｉｔｔｉｎｇ  ｄｉｏｄｅ、「ＬＥＤ」）チップでありうる。
【００９２】
前記第１光源１１０は、隣り合う前記第２光源１２０の間に配置される。前記第１光源１１０は、長波長光を発生する光源でありうる。例えば、前記第１光源１１０は、黄色光を発生する発光ダイオード（ｌｉｇｈｔ  ｅｍｉｔｔｉｎｇ  ｄｉｏｄｅ、「ＬＥＤ」）チップでありうる。
【００９３】
前記第２光源部２００は、前記第１光源部１００と前記第１方向Ｄ１に離れて配置され、前記第１光源部１００と対向する。前記第２光源部２００は、第２基板２０２、複数の第１光源２１０及び複数の第２光源２２０を含む。
【００９４】
前記第２基板２０２は、前記第１及び第２光源２１０及び２２０を駆動するための駆動回路を含む。前記第１光源２１０及び前記第２光源２２０は、前記第２基板２０２の上に前記第２方向Ｄ２に交互に配置される。前記第１光源２１０は、前記第１の原色及び前記第２の原色の混合色の光を発生する。前記第２光源２２０は、第３の原色の光を発生する。
【００９５】
前記第２基板２０２の両端には、前記第２光源２２０がそれぞれ配置される。前記第２光源２２０は、短波長の光を発生する光源でありうる。例えば、前記第２光源２２０は、青色光を発生する発光ダイオード（ｌｉｇｈｔ  ｅｍｉｔｔｉｎｇ  ｄｉｏｄｅ、「ＬＥＤ」）チップでありうる。
【００９６】
前記第１光源２１０は、隣り合う前記第２光源２２０の間に配置される。前記第１光源２１０は、長波長光を発生する光源でありうる。例えば、前記第１光源２１０は、黄色光を発生する発光ダイオード（ｌｉｇｈｔ  ｅｍｉｔｔｉｎｇ  ｄｉｏｄｅ、「ＬＥＤ」）チップでありうる。
【００９７】
前記導光板３００は、前記第１光源部１００及び前記第２光源部２００の間に配置される。前記導光板３００は、前記第１光源部１００及び前記第２光源部２００で発生した光を表示パネル（図１１の２０を参照）へ誘導する。
【００９８】
前記導光板３００は、第１入射面３０２、第２入射面３０４、出射面３１０、及び反射面３２０を含む。
【００９９】
前記第１入射面３０２は、前記第１光源部１００と対向する。前記第１光源部１００で発生した前記光は、前記第１入射面３０２を通じて前記導光板３００内に入射する。
【０１００】
前記第２入射面３０４は、前記第１入射面３０２と対向する。前記第２入射面３０４は前記第２光源部２００と対向する。前記第２光源部２００で発生した前記光は、前記第２入射面３０４を通じて前記導光板３００内に入射する。
【０１０１】
前記出射面３１０は、前記第１入射面３０２及び前記第２入射面３０４と隣接して前記第１シート４００の下面４２０と対向する。前記導光板３００内に入射された前記光は、前記出射面３１０を通じて出射する。
【０１０２】
前記出射面３１０の上には出光パターンが形成できる。前記出光パターンは、前記導光板３００に出光される光の出光分布を均一にする。例えば、前記出光パターンは、前記出射面３１０の上に二酸化チタニウム（ＴｉＯ２）及び樹脂（ｒｅｓｉｎ）を含む複数個の微細ドット（ｄｏｔ）でありうる。または、前記出光パターンは、前記出射面３１０の上面に形成された複数個の陰刻パターンでありうる。
【０１０３】
前記第１シート４００は、前記導光板３００の上に配置される。前記第１シート４００は前記表示パネルと対向する上面４１０を含む。
【０１０４】
前記上面４１０は、中心部４１２、前記中心部４１２と隣接して前記第２方向Ｄ２に前記上面４１０の両端に配置される第１及び第２周辺部４１４及び４１６を含む。
【０１０５】
前記第１周辺部４１４は、前記第１及び第２光源部１００及び２００の一側端に配置された前記第２光源１２０及び２２０に対応して配置され、前記第１方向Ｄ１に延びる。即ち、第１光源部１００の一側端に配置された前記第２光源１２０から前記第２光源部２００の一側端に配置された前記第２光源２２０まで延びる。
【０１０６】
前記第１周辺部４１４の上には、前記第２光源１２０及び２２０発生する前記短波長の光を一部吸収する第１吸収パターンが形成される。例えば、前記第１吸収パターンは、前記第１周辺部４１４の上に前記青色光を吸収するインクを含む複数個の微細ドット（ｄｏｔ）でありうる。
【０１０７】
前記第２周辺部４１６は、前記第１及び第２光源部１００及び２００の前記一側端と対向する他側端に配置された前記第２光源１２０及び２２０に対応して配置され、前記第１方向Ｄ１に延びる。即ち、第２光源部２００の他側端に配置された前記第２光源１２０から前記第２光源部２００の他側端に配置された前記第２光源２２０まで延びる。
【０１０８】
前記第２周辺部４１６の上には、前記第２光源１２０及び２２０発生する前記短波長の光を一部吸収する第２吸収パターンが形成される。例えば、前記第２吸収パターンは、前記第２周辺部４１６の上に前記青色光を吸収するインクを含む複数個の微細ドット（ｄｏｔ）でありうる。
【０１０９】
前記第２シート４５０は、前記導光板３００の下に配置される。前記第２シート４５０は前記導光板３００と対向する上面を含む。
【０１１０】
前記第２シート４５０の前記表面の上には前記第１光源部１００と隣接して第１蛍光体パターン４５２が配置される。前記表面の上には前記第２光源部２００と隣接して第２蛍光体パターン４５４が配置される。
【０１１１】
前記第１蛍光体パターン４５２は、前記第２方向Ｄ２に延びる。前記第１蛍光体パターン４５２は、前記第１光源部１００と隣接した前記反射面３２０の部分を通じて出光する前記短波長光の波長を変換する。前記第１蛍光体パターン４５２は、黄色蛍光体を含むことができる。
【０１１２】
前記第２蛍光体パターン４５４は、前記第２方向Ｄ２に延びる。前記第２蛍光体パターン４５４は、前記第２光源部２００と隣接した前記反射面３２０の部分を通じて出光する前記短波長光の波長を変換する。前記第２蛍光体パターン４５４は、黄色蛍光体を含むことができる。
【０１１３】
前記第１シート４００の前記上面４１０は、図４のバックライトアセンブリの第１シートの上面と実質的に同一である。また、前記第１蛍光体パターン４５２及び前記第２蛍光体パターン４５４は前記第２シート４５０の上面に配置されるのを除いて、図５のバックライトアセンブリの第１シートの第１及び第２蛍光体パターンと実質的に同一である。
【０１１４】
図９は、本発明のまた他の実施例に係るバックライトアセンブリの平面図である。
【０１１５】
図９を参照すれば、バックライトアセンブリは第１光源及び第２光源の配列順序及び導光板の表面を除いて図１のバックライトアセンブリと実質的に同一である。したがって繰り返しの説明は省略する。
【０１１６】
バックライトアセンブリは、第１光源部１００、第２光源部２００及び導光板を含む。
【０１１７】
前記第１光源部１００は、第１基板、複数の第１光源１１０及び複数の第２光源１２０を含む。
【０１１８】
前記第１光源１１０及び前記第２光源１２０は、前記第１基板の上に前記第２方向Ｄ２に交互に配置される。
【０１１９】
前記第１光源１１０は、第１の原色及び第２の原色の混合色の光を発生する。前記第２光源１２０は第３の原色の光を発生する。
【０１２０】
前記第１基板の両端には前記第１光源１１０がそれぞれ配置される。前記第１光源１１０は、長波長光を発生する光源でありうる。例えば、前記第１光源１１０は黄色光を発生する発光ダイオード（ｌｉｇｈｔ  ｅｍｉｔｔｉｎｇ  ｄｉｏｄｅ、「ＬＥＤ」）チップでありうる。
【０１２１】
前記第２光源１２０は、隣り合う前記第１光源１１０の間に配置される。前記第２光源１２０は、短波長の光を発生する光源でありうる。例えば、前記第２光源１２０は、青色光を発生する発光ダイオード（ｌｉｇｈｔ  ｅｍｉｔｔｉｎｇ  ｄｉｏｄｅ、「ＬＥＤ」）チップでありうる。
【０１２２】
前記第２光源部２００は、前記第１光源部１００と前記第１方向Ｄ１に離れて配置され、前記第１光源部１００と対向する。前記第２光源部２００は、第２基板、複数の第１光源２１０及び複数の第２光源２２０を含む。
【０１２３】
前記第１光源２１０及び前記第２光源２２０は、前記第２基板の上に前記第２方向Ｄ２に交互に配置される。
【０１２４】
前記第１光源２１０は、前記第１の原色及び前記第２の原色の混合色の光を発生する。前記第２光源２２０は第３の原色の光を発生する。
【０１２５】
前記第２基板の両端には、前記第１光源２１０がそれぞれ配置される。前記第１光源２１０は、長波長光を発生する光源でありうる。例えば、前記第１光源２１０は黄色光を発生する発光ダイオード（ｌｉｇｈｔ  ｅｍｉｔｔｉｎｇ  ｄｉｏｄｅ、「ＬＥＤ」）チップでありうる。
【０１２６】
前記第２光源２２０は、隣り合う前記第１光源２１０の間に配置される。前記第２光源２２０は、短波長の光を発生する光源でありうる。例えば、前記第２光源２２０は、青色光を発生する発光ダイオード（ｌｉｇｈｔ  ｅｍｉｔｔｉｎｇ  ｄｉｏｄｅ、「ＬＥＤ」）チップでありうる。
【０１２７】
前記導光板は、前記第１光源部１００及び前記第２光源部２００の間に配置される。前記導光板は、前記第１光源部１００及び前記第２光源部２００で発生した光を表示パネルへ誘導する。前記導光板は、第１入射面、第２入射面、出射面３１０、及び反射面を含む。
【０１２８】
前記出射面３１０は、中心部３１２、前記中心部３１２と隣接し、前記第２方向Ｄ２に前記出射面３１０の両端に配置される第１及び第２周辺部３１４及び３１６を含む。
【０１２９】
前記出射面３１０の上には、出光パターンが形成できる。前記出光パターンは、前記導光板３００に出光される光の出光分布を均一にする。例えば、前記出光パターンは、前記出射面３１０の上に二酸化チタニウム（ＴｉＯ２）及び樹脂（ｒｅｓｉｎ）を含む複数個の微細ドット（ｄｏｔ）でありうる。または、前記出光パターンは前記出射面３１０の上面に形成された複数個の陰刻パターンでありうる。
【０１３０】
前記第１周辺部３１４は、前記第１及び第２光源部１００及び２００の一側端に配置された前記第１光源１１０及び２１０に対応して配置され、前記第１方向Ｄ１に延びる。即ち、第１光源部１００の一側端に配置された前記第１光源１１０から前記第２光源部２００の一側端に配置された前記第１光源２１０まで延びる。
【０１３１】
前記第１周辺部３１４の上には、前記第１光源１１０及び２１０発生する前記長波長光を一部吸収する第１吸収パターンが形成される。例えば、前記第１吸収パターンは、前記第１周辺部３１４の上に前記黄色光を吸収するインクを含む複数個の微細ドット（ｄｏｔ）でありうる。
【０１３２】
したがって、前記第１及び第２光源部１００及び２００の前記一側端に配置された前記第１光源１１０及び２１０で発生した前記長波長の光が前記導光板３００の前記第１周辺部３１４に対応する部分で前記第２光源１２０及び２２０の短波長の光と満遍なく混ざることができなくても、すなわち、前記第１周辺部３１４における前記短波長光と前記長波長光の混合比率が、前記中心部３１２における短波長光と前記長波長光の混合比率が異なっても、前記第１吸収パターンによって前記長波長光が一部吸収されるので、前記第１周辺部３１４に形成される黄色の線むらが使用者に少なく視認される。
【０１３３】
前記第２周辺部３１６は、前記第１及び第２光源部１００及び２００の前記一側端と対向する他側端に配置された前記第１光源１１０及び２１０に対応して配置され、前記第１方向Ｄ１に延びる。即ち、第２光源部２００の他側端に配置された前記第１光源１１０から前記第２光源部２００の他側端に配置された前記第１光源２１０まで延びる。
【０１３４】
前記第２周辺部３１６の上には、前記第１光源１１０及び２１０発生する前記長波長光を一部吸収する第２吸収パターンが形成される。例えば、前記第２吸収パターンは、前記第２周辺部３１６の上に前記黄色光を吸収するインクを含む複数個の微細ドット（ｄｏｔ）でありうる。
【０１３５】
したがって、前記第１及び第２光源部１００及び２００の前記他側端に配置された前記第１光源１１０及び２１０で発生した前記長波長光が前記導光板３００の前記第２周辺部３１６に対応する部分で前記第２光源１２０及び２２０の短波長の光と満遍なく混ざることができなくても、すなわち、前記第１周辺部３１４における前記短波長光と前記長波長光の混合比率が、前記中心部３１２における短波長光と前記長波長光の混合比率が異なっても、前記第２吸収パターンによって前記長波長光が一部吸収されるので、前記第２周辺部３１６に形成される黄色の線むらが使用者に少なく視認される。
【０１３６】
一方、前記中心部３１２の上には前記出光パターンのみ形成される。
本実施例では前記第１及び第２光源部の両端に長波長の光を発生する第１光源が配置されていると説明されたが、前記第１及び第２光源部の両端には必要に応じて適切な波長の光を発生する光源が配置されることができ、これによって、第１及び第２吸収パターンが含むインクを決定できる。即ち、光源配置により適切な波長の光を吸収するインクを第１及び第２周辺部に対応して形成することができる。
【０１３７】
図１０は、本発明のまた他の実施例に係るバックライトアセンブリの底面図である。
【０１３８】
図１０を参照すれば、バックライトアセンブリは、第１サブ蛍光体及び第２サブ蛍光体をさらに含むのを除いて図１のバックライトアセンブリと実質的に同一である。したがって繰り返される説明は省略する。
【０１３９】
バックライトアセンブリは、第１光源部１００、第２光源部２００及び導光板を含む。
【０１４０】
前記第１光源部１００は、第１基板、複数の第１光源１１０及び複数の第２光源１２０を含む。前記第１光源１１０及び前記第２光源１２０は、前記第１基板の上に前記第２方向Ｄ２に交互に配置される。
【０１４１】
前記第２光源部２００は、前記第１光源部１００と前記第１方向Ｄ１に離れて配置され、前記第１光源部１００と対向する。前記第２光源部２００は、第２基板、複数の第１光源２１０及び複数の第２光源２２０を含む。前記第１光源２１０及び前記第２光源２２０は前記第２基板の上に前記第２方向Ｄ２に交互に配置される。
【０１４２】
前記導光板は、前記第１光源部１００及び前記第２光源部２００の間に配置される。前記導光板は、前記第１光源部１００及び前記第２光源部２００で発生した光を表示パネルへ誘導する。前記導光板は、第１入射面、第２入射面、出射面、及び反射面３２０を含む。
【０１４３】
前記導光板の前記反射面３２０の上には前記第１光源部１００と隣接して第１蛍光体パターン３５２が配置される。前記反射面３２０の上には前記第２光源部２００と隣接して第２蛍光体パターン３５４が配置される。
【０１４４】
前記第１蛍光体パターン３５２は、前記第２方向Ｄ２に延びる。前記第１蛍光体パターン３５２は、前記第１光源部１００と隣接した前記反射面３２０の部分を通じて出光する前記短波長光の波長を変換する。前記第１蛍光体パターン３５２は黄色蛍光体を含むことができる。
【０１４５】
前記第２蛍光体パターン３５４は、前記第２方向Ｄ２に延びる。前記第２蛍光体パターン３５４は、前記第２光源部２００と隣接した前記反射面３２０の部分を通じて出光する前記短波長光の波長を変換する。前記第２蛍光体パターン３５４は、黄色蛍光体を含むことができる。
【０１４６】
前記第１蛍光体パターン３５２に隣接して前記反射面３２０の上に第１サブ蛍光体パターン３５３をさらに配置できる。前記第１サブ蛍光体パターン３５３は、前記短波長の光を発生する前記第１光源部１００の前記第２光源１２０に対応して配置できる。前記第１サブ蛍光体パターン３５３は、前記第１蛍光体パターン３５２と同じ物質を含むことができる。
【０１４７】
前記第２蛍光体パターン３５４に隣接して前記反射面３２０の上に第２サブ蛍光体パターン３５５をさらに配置できる。前記第２サブ蛍光体パターン３５５は、前記短波長の光を発生する前記第２光源部２００の前記第２光源２２０に対応して配置できる。前記第２サブ蛍光体パターン３５５は、前記第２蛍光体パターン３５４と同じ物質を含むことができる。
【０１４８】
これによって、前記短波長の光を発生する前記第２光源１２０及び２２０に隣接する部分の前記反射面３２０の部分には前記第１蛍光体パターン３５２、前記第１サブ蛍光体パターン３５３及び前記第２蛍光体パターン３５４及び前記第２サブ蛍光体パターン３５５が配置されるので前記第１及び第２光源部１００及び２００に隣接した部分での光漏れ及びホットスポットが前記黄色蛍光体によって白色光に変換されるので出光品質が改善できる。
【０１４９】
本実施例では、前記第１及び第２蛍光体パターン３５２及び３５４及び前記第１及び第２サブ蛍光体パターン３５３及び３５５が前記導光板３００の反射面３２０の部分に配置されると説明されたが、必要に応じて位置や物質が適切に変更されて光源部に隣接した部分の光漏れ及びホットスポットを誘発する光の色を白色光に変換させることができる。
【０１５０】
図１１は、本発明の一実施例に係る表示装置の分解斜視図である。図１２は、図１１の表示装置の断面図である。
【０１５１】
図１１及び図１２を参照すれば、表示装置は、トップシャーシ１０及びボトムシャーシ６０を含む筐体、表示パネル２０、モールドフレーム３０、光学部材４０、第１光源部１００、第２光源部２００、導光板３００及び反射部材５０を含む。前記第１光源部１００、前記第２光源部２００及び前記導光板３００は、図１のバックライトアセンブリの第１光源部、第２光源部及び導光板と実質的に同一である。したがって、繰り返しの説明は省略する。
【０１５２】
前記表示パネル２０は、画像を表示する。前記表示パネル２０は、第１基板、第２基板、液晶層を含む。前記表示パネル２０は、第１主要色を有する第１サブピクセル、第２主要色を有する第２サブピクセル及び透明サブピクセルを含む。前記表示パネルに対する詳しい説明は図１３及び図１４で後述する。
【０１５３】
前記モールドフレーム３０は、前記表示パネル２０、前記光学部材４０、前記第１光源部１００、前記第２光源部２００、前記導光板３００及び前記反射部材５０が前記筐体内に固定されるように前記表示パネル２０、前記光学部材４０、前記第１光源部１００、前記第２光源部２００、前記導光板３００及び前記反射部材５０を支持する。前記モールドフレーム３０は、弾性を有する物質を含むことができる。
【０１５４】
前記導光板３００は、前記表示パネル２０下部に配置される。前記導光板３００は、図１の導光板と実質的に同一である。前記導光板３００の反射面３２０の上には反射パターン３２２が形成できる。前記反射パターン３２２は、陰刻パターンでありうる。
【０１５５】
前記第１光源部１００は、前記導光板３００の第１入射面３０２と対向するように配置される。前記第１光源部１００は、図１の第１光源部と実質的に同一である。
【０１５６】
前記第２光源部２００は、前記導光板３００の第２入射面と対向するように配置される。前記第２光源部２００は、図１の第２光源部と実質的に同一である。
【０１５７】
前記光学部材４０は、前記表示パネル２０と前記導光板３００の間に配置される。前記光学部材１４０は、前記導光板３００で出射される前記光の特性を向上させる。即ち、前記光学部材は、前記導光板３００で出射される前記光の輝度を均一にする。前記光学部材４０は、複数の光学シートを含むことができる。例えば、前記光学部材は、保護シート、プリズムシート及び拡散シートを含むことができる。前記拡散シートは、前記導光板３００の出射面の上に配置される。前記プリズムシートは、前記拡散シートの上に配置される。前記保護シートは、前記プリズムシートの上に配置される。前記プリズムシートは、上部プリズムシート及び下部プリズムシートを含むことができる。前記上部プリズムシートのプリズム方向は、前記下部プリズムシートのプリズム方向と垂直することができる。前記光学部材４０の構成は、それに限定されずに多様に構成できる。
【０１５８】
前記反射部材５０は、前記導光板３００の下部に配置される。前記反射部材は、前記導光板３００の前記反射面３２０と対向する。前記反射部材５０は、前記導光板３００の前記反射面３２０を通じて出射した光を前記表示パネル２０方向に反射させる。前記反射部材５０は、反射率が高い材質を含むことができる。
【０１５９】
前記筐体は、前記トップシャーシ１０及び前記ボトムシャーシ６０を含む。前記筐体は、前記表示パネル２０、前記モールドフレーム３０、前記光学部材４０、前記第１光源部１００、前記第２光源部２００、前記導光板３００及び前記反射部材５０を収納する。
【０１６０】
前記表示装置は、画像が表示される表示領域ＰＡと前記表示領域を囲み、画像が表示されない周辺領域ＰＡを含む。前記周辺領域に対応して前記トップシャーシ１０が形成できる。前記周辺領域ＰＡに対応して第１蛍光体パターン３５２（詳しい説明は、図３などに対する説明を参照）が配置されるので、前記周辺領域ＰＡと前記表示領域ＤＡの境界で発生する光漏れを誘発する光の波長を変換し、前記導光板３００の前記第１入射面３０２周辺で発生して使用者に視認される特定色の光漏れを緩和させることができる。
【０１６１】
図１３及び１４は、図１１の表示装置の駆動を説明するためのバックライトアセンブリ及び表示パネルの概略的な断面図である。具体的に、図１３は、第１サブフレームで図１の表示パネル及び光源部を示す断面図であり、図１４は、第２サブフレームで図１の表示パネル及び光源部を示す断面図である。
図１３及び１４を参照すれば、前記表示装置は、表示パネル２０、第１及び第２光源１１０及び１２０を含む第１光源部、第１及び第２光源２１０及び２２０を含む第２光源部、導光板３００、パネル駆動部及び光源駆動部を含む。
【０１６２】
前記表示パネル２０は、画像を表示する。前記表示パネル２０は、第１基板２２、第２基板２４、液晶層２６を含む。
【０１６３】
前記表示パネル２０は、第１の原色を有する第１サブピクセル（Ｒ）、第２の原色を有する第２サブピクセル（Ｇ）及び透明サブピクセル（Ｔ）を含む。
本実施例において、前記第１の原色は赤色であり、前記第１サブピクセルは赤色サブピクセル（Ｒ）でありうる。前記第２の原色は緑色であり、第２サブピクセルは緑色サブピクセル（Ｇ）でありうる。
【０１６４】
前記第１基板２２は、トランジスターが形成されている薄膜トランジスター基板でありうる。前記第１基板２２には第１方向に延びる複数のゲートライン及び前記第１方向と交差する第２方向に延びる複数のデータラインが配置できる。前記第１基板２２は、画素電極を含むことができる。
【０１６５】
前記第２基板２４は、前記第１基板２２と対向するように配置される。前記第２基板２４はカラーフィルターが形成されているカラーフィルター基板でありうる。前記第２基板２４は共通電極を含むことができる。
【０１６６】
前記第１サブピクセル（Ｒ）は、前記第２基板２４に配置される赤色カラーフィルターによって定義できる。前記第２サブピクセル（Ｇ）は、前記第２基板２４に配置される緑色カラーフィルターによって定義できる。前記透明サブピクセル（Ｔ）は、前記第２基板２４に配置される透明カラーフィルターによって定義できる。例えば、前記透明カラーフィルターは、実質的にカラーフィルターが形成されていない空いた空間でありうる。前記カラーフィルター間には遮光パターン（ＢＭ）が配置できる。
【０１６７】
前記液晶層２６は、前記第１基板２２及び前記第２基板２４の間に配置される。
【０１６８】
本実施例において、前記カラーフィルターは、前記第２基板２４に配置されると説明したが、それに限定されない。
【０１６９】
前記パネル駆動部（図示せず）は、前記表示パネル２０に連結され、前記表示パネルを駆動する。前記パネル駆動部はタイミングコントローラ、ゲート駆動部及びデータ駆動部を含むことができる。
【０１７０】
前記タイミングコントローラは、前記ゲート駆動部の駆動タイミングを制御する第１制御信号を前記ゲート駆動部に伝達する。前記タイミングコントローラは前記データ駆動部の駆動タイミングを制御する第２制御信号を前記データ駆動部に伝達する。前記ゲート駆動部は、前記表示パネル２０の前記ゲートラインにゲート信号を伝達する。前記データ駆動部は前記表示パネル２０のデータラインにデータ信号を伝達する。
【０１７１】
前記パネル駆動部は、前記第１サブピクセル（Ｒ）、前記第２サブピクセル（Ｇ）及び前記透明サブピクセル（Ｔ）の階調データを設定する。
【０１７２】
前記パネル駆動部は、前記光源駆動部（図示せず）の駆動タイミングを制御する光源制御信号を前記光源駆動部に伝達する。前記パネル駆動部は、前記光源駆動部と同期できる。
【０１７３】
前記第１及び第２光源部は、それぞれ前記第１光源１１０及び２１０及び前記第２光源１２０及び２２０を含む。前記第１及び第２光源部は、光を発生し、前記表示パネル２０に提供する。
【０１７４】
前記第１光源１１０及び２１０は、前記第１の原色及び前記第２の原色の混合色の光を発生する。本実施例において、前記第１の原色は、赤色であり、前記第２の原色は緑色であるので、前記混合色は黄色（ｙｅｌｌｏｗ）である。
【０１７５】
前記第２光源１２０及び２２０は、第３の原色の光を発生する。前記第３の原色は青色でありうる。
【０１７６】
前記第１、第２及び第３の原色が混色されれば白色を示す。本実施例において、前記第１、第２及び第３主要色は、それぞれ赤色、緑色、青色であることを例示したが、それに限定されない。
【０１７７】
本発明の実施例において、前記第１光源１１０及び２１０は、黄色を発生する発光ダイオード（ｌｉｇｈｔ  ｅｍｉｔｔｉｎｇ  ｄｉｏｄｅ、「ＬＥＤ」）チップでありうる。前記第２光源１２０及び２２０は、青色を発生するＬＥＤチップでありうる。それとは異なり、前記第１光源１１０及び２１０は、青色ＬＥＤチップ及び黄色蛍光体を含むことができる。
【０１７８】
前記導光板３００は、前記第１及び第２光源１１０、２１０、１２０及び２２０で発生した光を前記表示パネル２０へ誘導する。
【０１７９】
本実施例において、前記第１光源部は、前記導光板３００の第１側に配置され、前記第２光源部は、前記導光板３００の第２側に配置される。
【０１８０】
本発明の第１及び第２光源部は、前記導光板３００及び前記導光板３００の側部に配置される第１及び第２光源２１０及び２２０を含むエッジ型であることを図示したが、それに限定されず、光源部が前記表示パネル２０の下面の全面的に複数の光源を含む直下型でもありうる。
【０１８１】
本発明の表示装置は、液晶表示装置であることを例示したがそれに限定されない。例えば、本発明の表示装置は、有機発光ダイオード表示装置（ｏｒｇａｎｉｃ  ｌｉｇｈｔ  ｅｍｉｔｔｉｎｇ  ｄｉｏｄｅ、ＯＬＥＤ）でありうる。
【０１８２】
前記光源駆動部は、前記第１及び第２光源部に連結され、前記第１及び第２光源部を駆動する。前記光源駆動部は、前記第１光源１１０及び２１０及び前記第２光源１２０及び２２０の内、少なくとも一つを繰り返し、ターンオン及びターンオフさせる。
【０１８３】
本実施例において、前記光源駆動部は、前記第１光源１１０及び２１０及び前記第２光源１２０及び２２０を交互にターンオンさせることができる。例えば、第１サブフレームに前記第１光源１１０及び２１０がターンオンされ、前記第２光源１２０及び２２０はターンオフされる。第２サブフレームに前記第１光源１１０及び２１０がターンオフされ、前記第２光源１２０及び２２０がターンオンされる。
【０１８４】
前記第１サブフレームの時間間隔及び前記第２サブフレームの時間間隔は同一なこともある。これとは異なり、前記第１サブフレームの時間間隔及び前記第２サブフレームの時間間隔は互いに相異なることもできる。
【０１８５】
例えば、前記表示パネル２０は、１２０Ｈｚで画像を表示することができる。前記光源駆動部は、前記第１及び第２光源２１０及び２２０を１２０Ｈｚの周期で交互にターンオンさせることができる。
【０１８６】
例えば、前記表示パネルは、３次元画像を表示することができる。前記表示パネルは１２０Ｈｚ周期で左眼画像及び右眼画像を交互に表示することができる。この際、前記表示パネル２０は２枚の左眼画像及び２枚の右眼画像を表示する。したがって、前記表示パネル２０は、２４０Ｈｚで画像を表示する。前記光源駆動部は前記第１及び第２光源２１０及び２２０を２４０Ｈｚの周期で交互にターンオンさせることができる。
【０１８７】
前記パネル駆動部は、前記第１及び第２サブピクセル（Ｒ、Ｇ）及び前記透明サブピクセル（Ｔ）の階調データを設定するサブピクセルレンダリングを遂行する。
【０１８８】
入力画像の前記第１の原色の階調データはＡ、前記第２の原色の階調データはＢ、前記第３の原色の階調データはＣ、ｍｉｎ（Ａ、Ｂ）はＡ及びＢの最小値である時、第１サブピクセルレンダリング方法を説明すれば下記のとおりである。
【０１８９】
前記パネル駆動部は、前記第１光源１１０及び２１０がターンオンされる前記第１サブフレームに前記第１サブピクセル（Ｒ）の階調データをＡ−ｍｉｎ（Ａ、Ｂ）で設定し、前記第２サブピクセル（Ｇ）の階調データをＢ−ｍｉｎ（Ａ、Ｂ）で設定し、前記透明サブピクセル（Ｔ）の階調データをｍｉｎ（Ａ，Ｂ）で設定することができる。
【０１９０】
前記パネル駆動部は、前記第２光源１２０及び２２０がターンオンされる前記第２サブフレームに前記透明サブピクセル（Ｔ）の階調データをＣに設定することができる。
【０１９１】
入力画像の前記第１の原色の階調データはＡ、前記第２の原色の階調データはＢ、前記第３の原色の階調データはＣである時、第２サブピクセルレンダリング方法を説明すれば下記のとおりである。
【０１９２】
前記パネル駆動部は、前記第１サブフレームに前記第１サブピクセル（Ｒ）の階調データをＡに設定し、前記第２サブピクセル（Ｇ）の階調データをＢに設定し、前記透明サブピクセル（Ｔ）の階調データをＡ＋Ｂに設定することができる。
【０１９３】
前記パネル駆動部は、前記第２サブフレームに前記透明サブピクセルの階調データを２Ｃに設定することができる。
【０１９４】
前記第２サブピクセルレンダリング方法は、前記第１サブピクセルレンダリング方法に比べてさらに高い輝度を確保することができる。
【０１９５】
本実施例によれば、前記表示パネル２０は赤色、緑色及び透明サブピクセル（Ｒ、Ｇ、Ｔ）を含み、前記第１及び第２光源部は繰り返しターンオン及びターンオフされる黄色及び青色光源（第１光源及び第２光源）を含むので表示装置の消費電力を減少させることができる。
【０１９６】
図１５は、本発明の他の実施例に係る表示装置の断面図である。
【０１９７】
図１５を参照すれば、表示装置は第１蛍光体パターン４５２を含む第１シート４００を除いて図１１及び図１２の表示装置と実質的に同一である。したがって繰り返しの説明は省略する。
【０１９８】
前記表示装置は、トップシャーシ１０及びボトムシャーシ６０を含む筐体、表示パネル２０、モールドフレーム３０、光学部材４０、第１光源部１００、第２光源部２００、導光板３００及び反射部材５０を含む。
【０１９９】
前記表示装置は、前記光学部材４０と前記導光板３００の間に配置される第１シート４００をさらに含むことができる。前記第１シート４００は、前記表示パネル２０と対向し、第２光源１２０が発生する光を一部吸収する第１吸収パターンが形成される上面４１０及び前記上面４１０と対向して前記導光板３００の出射面３１０と対向し、第１蛍光体パターン４５２が形成された下面４２０を含む。前記第１シート４００は、図４及び５の第１シートと実質的に同一である。したがって重複する説明は省略する。
【０２００】
図１６は、本発明のまた他の実施例に係る表示装置の断面図である。
【０２０１】
図１６を参照すれば、表示装置は第２シート４５０を除いて図１４、図１５の表示装置と実質的に同一である。したがって、重複する説明は省略する。
前記表示装置は、トップシャーシ１０及びボトムシャーシ６０を含む筐体、表示パネル２０、モールドフレーム３０、光学部材４０、第１光源部１００、第２光源部２００、導光板３００、反射部材５０及び第１シート４００を含む。前記表示装置は前記反射部材５０と前記導光板３００の間に配置され、第１蛍光体パターンが配置された第２シート４５０をさらに含む。
前記第１シート４００及び前記第２シート４５０は、図６乃至８の第１シート及び第２シートと実質的に同一である。したがって重複する説明は省略する。
【０２０２】
図１７は、本発明のまた他の実施例に係る表示装置の断面図である。
【０２０３】
図１７を参照すれば、表示装置は、第１蛍光体パターン３２を除いて図１１及び図１２の表示装置と実質的に同一である。したがって重複する説明は省略する。
【０２０４】
前記第１蛍光体パターン３２は、前記導光板３００と前記モールドフレーム３０の間に配置される。前記第１蛍光体パターン３２は、前記第１光源部１００の第２光源１２０で発生する光の中、前記導光板３００と前記モールドフレーム３０の間で漏れる光の波長を変換することができる。前記第１蛍光体パターン３２は、配置される位置を除いて図１の第１蛍光体パターン３５２と実質的に同一である。したがって、重複する説明は省略する。
【０２０５】
図１８乃至２２は、本発明の一実施例に係るバックライトアセンブリの導光板の製造方法を示した斜視図である。
【０２０６】
図１８及び１９を参照すれば、前記第１マスク５００を用いて前記導光板３００の出射面３１０の上に前記導光板３００を通じて出光される光の出光分布を均一にする出光パターンを形成する。
【０２０７】
前記導光板３００は、第１入射面３０２、前記第１入射面３０２と対向する第２入射面３０４及び前記第１及び第２入射面３０２及び３０４に隣接する前記出射面３１０を含む。
【０２０８】
例えば、導光板３００の上に第１マスク５００を位置させる。前記第１マスク５００には複数の開口パターン５１０が形成される。以後、前記第１マスク５００の前記複数の開口パターン５１０を通じ、二酸化チタニウム（ＴｉＯ２）及び樹脂（ｒｅｓｉｎ）を含むインクを前記出射面３１０の上に転写（ｔｒａｎｓｆｅｒｒｉｎｇ）させ、前記出光パターンを形成することができる。
【０２０９】
一方、図示していないが、前記出射面３１０の上に複数個の陰刻パターンを形成し、前記出光パターンを形成することもある。
【０２１０】
図２０及び２１を参照すれば、前記出光パターンが形成された前記導光板３００の前記出射面３１０の上に特定波長帯の光を吸収する第１吸収パターンを含む第１周辺部３１４及び特定波長帯の光を吸収する第２吸収パターンを含む第２周辺部３１６を形成する。
【０２１１】
前記第１周辺部３１４及び前記第２周辺部は、それぞれ第１方向Ｄ１に延び、前記第１方向Ｄ１に垂直の第２方向Ｄ２に離れて形成できる。例えば、前記第１周辺部３１４及び前記第２周辺部３１６は、前記出射面３１０の端に形成できる。
【０２１２】
例えば、前記出光パターンが形成された前記導光板３００の上に第２マスク６１０を位置させる。前記第２マスク６００には前記第１周辺部３１４に対応する第１部分Ａ１、前記第２周辺部３１６に対応する第２部分Ａ２及び前記第１部分Ａ１及び前記第２部分Ａ２の間に形成される第３部分Ａ３を含む。前記第１部分及び前記第２部分Ａ１及びＡ２には複数の開口パターン６１０が形成される。以後、前記第２マスク６００の前記複数の開口パターン６１０を通じ、特定波長帯の光を吸収するインクを前記出射面３１０の上に転写（ｔｒａｎｓｆｅｒｒｉｎｇ）させ、前記第１吸収パターン及び前記第２吸収パターンを形成することができる。
【０２１３】
図２２を参照すれば、前記導光板３００の反射面３２０の上に特定波長の光をホワイト光に変換する第１蛍光体パターン３５２及び第２蛍光体パターン３５４を形成する。
【０２１４】
前記第１及び第２蛍光体パターン３５２及び３５４は、それぞれ前記反射面３２０の上に前記第１入射面３０２及び前記第２入射面３０４に隣接して前記第２方向Ｄ１に沿って形成される。
【０２１５】
前記第１及び第２蛍光体パターン３５２及び３５４は、黄色蛍光体を含むことができる。例えば、前記黄色蛍光体は、５３０〜５７０ｎｍの波長を主波長にするセリウム（Ｃｅ）がドーピングされたイットリウム（Ｙ）アルミニウム（Ａｌ）ガーネットインＹＡＧ：Ｃｅ（Ｔ３Ａｌ５Ｏ１２：Ｃｅ）系列蛍光体をまたは、シリケート（ｓｉｌｉｃａｔｅ）系列の黄色蛍光体でありうる。
【０２１６】
図示していないが、前記バックライトアセンブリを製造する方法は第１光源部（図１の１００を参照）及び第２光源部（図１の２００を参照）を形成する段階をさらに含むことができる。また、第１シート（図４の４００を参照）及び第２シート（図６の４５０を参照）を形成する段階をさらに含むことができる。
【０２１７】
本発明の実施例によれば、バックライトアセンブリは、２色以上の光を発生する光源部及び特定波長の光を吸収する第１周辺部及び第２周辺部を含む出射面を有する導光板を含むので、特定色の光による線むらを減少させることができる。
【０２１８】
また、前記バックライトアセンブリは、特定波長の光をホワイト光に変換する第１蛍光体パターンを含むので、入射面周辺の光漏れ及びホットスポットの視認を減少させることができる。
【０２１９】
以上、実施例を参照して説明したが、当該技術分野における熟練した当業者は下記の特許請求の範囲に記載された本発明の思想から逸脱しない範囲内で本発明を多様に修正及び変更することが可能であることを理解できる。
【符号の説明】
【０２２０】
１００第１光源部          ２００        第２光源部
１１０、２１０      第１光源            １２０、２２０      第２光源
３００導光板              ３１０        出射面
３２０反射面              ３１２        中心部
３１４第１周辺部          ３１６        第２周辺部
４００第１シート          ４５０        第２シート
１０         トップシャーシ      ２０         表示パネル
３０  モールドフレーム    ４０         光学部材
５０         反射部材            
６０       ボトムシャーシ
【図１】
2015065168.tif 000003
【図２】
2015065168.tif 000004
【図３】
2015065168.tif 000005
【図４】
2015065168.tif 000006
【図５】
2015065168.tif 000007
【図６】
2015065168.tif 000008
【図７】
2015065168.tif 000009
【図８】
2015065168.tif 000010
【図９】
2015065168.tif 000011
【図１０】
2015065168.tif 000012
【図１１】
2015065168.tif 000013
【図１２】
2015065168.tif 000014
【図１３】
2015065168.tif 000015
【図１４】
2015065168.tif 000016
【図１５】
2015065168.tif 000017
【図１６】
2015065168.tif 000018
【図１７】
2015065168.tif 000019
【図１８】
2015065168.tif 000020
【図１９】
2015065168.tif 000021
【図２０】
2015065168.tif 000022
【図２１】
2015065168.tif 000023
【図２２】
2015065168.tif 000024